(57)【特許請求の範囲】
【請求項１】
複数のピクチャを有しており、各ピクチャの符号化の種類を表すピクチャタイプが記録されている映像ビットストリームに基づいて映像を再生する映像再生装置であって、
静止画を再生する時において、該映像ビットストリームに基づいて該静止画に対応するピクチャのピクチャタイプを検出するピクチャタイプ検出手段と、
該静止画を再生する時には該静止画に対応するピクチャに含まれるビット数を計算し、動画を再生する時には所定の単位時間当たりの平均ビットレートを計算するビットレート計算手段と、
該静止画を再生する時には、該ピクチャタイプ検出手段によって検出された該ピクチャの該ピクチャタイプと該ビットレート計算手段によって計算された該ピクチャに含まれる該ビット数とを表示するための第１ビットレート映像信号を生成し、該動画を再生する時には、該ビットレート計算手段によって計算された該平均ビットレートを表示するための第２ビットレート映像信号を生成する映像信号生成手段と、
を具備することを特徴とする映像再生装置。
【請求項２】
前記映像ビットストリームを伸長処理して映像信号を生成する映像デコーダと、
前記静止画を再生する時には該映像デコーダによって生成された該映像信号と前記映像信号生成手段によって生成された前記第１ビットレート映像信号とを加算し、前記動画を再生する時には該映像デコーダによって生成された該映像信号と該映像信号生成手段によって生成された前記第２ビットレート映像信号とを加算する映像信号加算手段と、
をさらに具備する、請求項１に記載の映像再生装置。
【請求項３】
前記ビットレート計算手段は、各ピクチャの開始点を表すピクチャ開始点を検出するピクチャ開始点検出手段と、
該ピクチャ開始点検出手段による該ピクチャ開始点の検出に応答して、該ピクチャに含まれるビット数をカウントするビット数計算手段と、
該ピクチャ開始点検出手段が該ピクチャ開始点を検出した回数をカウントすることによって、前記所定の単位時間を計測するフレームカウント手段と、
該フレームカウント手段が該所定の単位時間を計測している間に、該ビット数計算手段がカウントした該ビット数を、該ピクチャ開始点検出手段が該ピクチャ開始点を検出する毎に累積加算し、該累積加算結果を平均ビットレートとして該所定の単位時間毎に出力する加算手段と、
該ビット数計算手段によってカウントされた該ビット数と、該加算手段によって累積加算された該平均ビットレートとを切り替えて出力するスイッチ手段と
を含んでいる、請求項１記載の映像再生装置。
【請求項４】
前記ビットレート計算手段は、各ピクチャの開始点を表すピクチャ開始点と、ＧＯＰ開始点とを検出するピクチャ開始点検出手段と、
該ピクチャ開始点検出手段による該ピクチャ開始点の検出に応答して、該ピクチャに含まれるビット数をカウントするビット数計算手段と、
該ピクチャ開始点検出手段が該ＧＯＰ開始点を検出した回数をカウントすることによって、前記所定の単位時間を計測するフレームカウント手段と、
該フレームカウント手段が該所定の単位時間を計測している間に、該ビット数計算手段がカウントした該ビット数を、該ピクチャ開始点検出手段が該ピクチャ開始点を検出する毎に累積加算し、該累積加算結果を平均ビットレートとして該所定の単位時間毎に出力する加算手段と、
該ビット数計算手段によってカウントされた該ビット数と、該加算手段によって累積加算された該平均ビットレートとを切り替えて出力するスイッチ手段と
を含んでいる、請求項１記載の映像再生装置。
【請求項５】
前記ビットレート計算手段は、各ピクチャの開始点を表すピクチャ開始点と、ＧＯＰの開始点を表すＧＯＰ開始点とを検出するピクチャ開始点検出手段と、
該ピクチャ開始点検出手段による該ピクチャ開始点の検出に応答して、該ピクチャに含まれるビット数をカウントするビット数計算手段と、
該ピクチャ開始点検出手段が該ＧＯＰ開始点を検出する間に、該ビット数計算手段がカウントした該ビット数を、該ピクチャ開始点検出手段が該ピクチャ開始点を検出する毎に累積加算し、該累積加算結果を平均ビットレートとして該所定の単位時間毎に出力する加算手段と、
該ビット数計算手段によってカウントされた該ビット数と、該加算手段によって累積加算された該平均ビットレートとを切り替えて出力するスイッチ手段と
を含んでいる、請求項１記載の映像再生装置。
【請求項６】
前記ビットレート計算手段は、各ピクチャの開始点を表すピクチャ開始点を検出するピクチャ開始点検出手段と、
該ピクチャ開始点検出手段による該ピクチャ開始点の検出に応答して、該ピクチャに含まれるビット数をカウントするビット数計算手段と、
時間を測ることによって、前記所定の単位時間を計測する計時手段と、
該計時手段が該所定の単位時間を計測している間に、該ビット数計算手段がカウントしたビット数を、該ピクチャ開始点検出手段が該ピクチャ開始点を検出する毎に累積加算し、該累積加算結果を平均ビットレートとして該所定の単位時間毎に出力する加算手段と、
該ビット数計算手段によってカウントされた該ビット数と、該加算手段によって累積加算された該平均ビットレートとを切り替えて出力するスイッチ手段と
を含んでいる、請求項1記載の映像再生装置。
【請求項７】
複数のピクチャを有しており、各ピクチャの符号化の種類を表すピクチャタイプが記録されている映像ビットストリームに基づいて映像を再生する映像再生方法であって、
静止画を再生する時において、該映像ビットストリームに基づいて該静止画に対応するピクチャのピクチャタイプを検出するピクチャタイプ検出工程と、
該静止画を再生する時には該静止画に対応するピクチャに含まれるビット数を計算し、動画を再生する時には所定の単位時間当たりの平均ビットレートを計算するビットレート計算工程と、
該静止画を再生する時には、該ピクチャタイプ検出工程によって検出された該ピクチャの該ピクチャタイプと該ビットレート計算工程によって計算された該ピクチャに含まれる該ビット数とを表示するための第１ビットレート映像信号を生成し、該動画を再生する時には、該ビットレート計算工程によって計算された該平均ビットレートを表示するための第２ビットレート映像信号を生成する映像信号生成工程と、
を包含することを特徴とする映像再生方法。
【請求項８】
前記映像ビットストリームを伸長処理して映像信号を生成する映像デコード工程と、
前記静止画を再生する時には該映像デコード工程によって生成された該映像信号と前記映像信号生成工程によって生成された前記第１ビットレート映像信号とを加算し、前記動画を再生する時には該映像デコード工程によって生成された該映像信号と該映像信号生成工程によって生成された前記第２ビットレート映像信号とを加算する映像信号加算工程と、
をさらに具備する、請求項７に記載の映像再生方法。
【請求項９】
前記ビットレート計算工程は、各ピクチャの開始点を表すピクチャ開始点を検出するピクチャ開始点検出工程と、
該ピクチャ開始点検出工程による該ピクチャ開始点の検出に応答して、該ピクチャに含まれるビット数をカウントするビット数計算工程と、
該ピクチャ開始点検出工程が該ピクチャ開始点を検出した回数をカウントすることによって、前記所定の単位時間を計測するフレームカウント工程と、
該フレームカウント工程が該所定の単位時間を計測している間に、該ビット数計算工程がカウントした該ビット数を、該ピクチャ開始点検出工程が該ピクチャ開始点を検出する毎に累積加算し、該累積加算結果を平均ビットレートとして該所定の単位時間毎に出力する加算工程と、
該ビット数計算工程によってカウントされた該ビット数と、該加算工程によって累積加算された該平均ビットレートとを切り替えて出力するスイッチ工程と、
を含んでいる、請求項７記載の映像再生方法。
【請求項１０】
前記ビットレート計算工程は、各ピクチャの開始点を表すピクチャ開始点と、ＧＯＰ開始点とを検出するピクチャ開始点検出工程と、
該ピクチャ開始点検出工程による該ピクチャ開始点の検出に応答して、該ピクチャに含まれるビット数をカウントするビット数計算工程と、
該ピクチャ開始点検出工程が該ＧＯＰ開始点を検出した回数をカウントすることによって、前記所定の単位時間を計測するフレームカウント工程と、
該フレームカウント工程が該所定の単位時間を計測している間に、該ビット数計算工程がカウントした該ビット数を、該ピクチャ開始点検出工程が該ピクチャ開始点を検出する毎に累積加算し、該累積加算結果を平均ビットレートとして該所定の単位時間毎に出力する加算工程と、
該ビット数計算工程によってカウントされた該ビット数と、該加算工程によって累積加算された該平均ビットレートとを切り替えて出力するスイッチ工程と
を含んでいる、請求項７記載の映像再生方法。
【請求項１１】
前記ビットレート計算工程は、各ピクチャの開始点を表すピクチャ開始点と、ＧＯＰの開始点を表すＧＯＰ開始点とを検出するピクチャ開始点検出工程と、
該ピクチャ開始点検出工程による該ピクチャ開始点の検出に応答して、該ピクチャに含まれるビット数をカウントするビット数計算工程と、
該ピクチャ開始点検出工程が該ＧＯＰ開始点を検出する間に、該ビット数計算工程がカウントした該ビット数を、該ピクチャ開始点検出工程が該ピクチャ開始点を検出する毎に累積加算し、該累積加算結果を平均ビットレートとして該所定の単位時間毎に出力する加算工程と、
該ビット数計算工程によってカウントされた該ビット数と、該加算工程によって累積加算された該平均ビットレートとを切り替えて出力するスイッチ工程と
を含んでいる、請求項７記載の映像再生方法。
【請求項１２】
前記ビットレート計算工程は、各ピクチャの開始点を表すピクチャ開始点を検出するピクチャ開始点検出工程と、
該ピクチャ開始点検出工程による該ピクチャ開始点の検出に応答して、該ピクチャに含まれるビット数をカウントするビット数計算工程と、
時間を測ることによって、前記所定の単位時間を計測する計時工程と、
該計時工程が該所定の単位時間を計測している間に、該ビット数計算工程がカウントした該ビット数を、該ピクチャ開始点検出工程が該ピクチャ開始点を検出する毎に累積加算し、該累積加算結果を平均ビットレートとして該所定の単位時間毎に出力する加算工程と、
該ビット数計算工程によってカウントされた該ビット数と、該加算工程によって累積加算された該平均ビットレートとを切り替えて出力するスイッチ工程と
を含んでいる、請求項７記載の映像再生方法。
【発明の詳細な説明】
【０００１】
【発明の属する技術分野】
本発明は映像再生装置と映像再生方法に関し、特に、ＭＰＥＧビデオのように圧縮された映像信号が記録されている映像ビットストリームを入力して伸張処理をして元の映像信号に復号する際に、この映像ビットストリームのビットレートに関連する情報を表示する映像再生装置と映像再生方法に関する。
【０００２】
【従来の技術】
図４は、従来の映像再生装置４００のブロック図を示している。この映像再生装置４００は、複数のピクチャを有しており、各ピクチャのピクチャタイプが記録されている映像ビットストリームに基づいて映像を再生する映像再生装置である。
【０００３】
本明細書において「ピクチャタイプ」とは、周知のように、ＭＰＥＧビデオ符号化方法における動き補償フレーム間符号化の種類を示し、Ｉピクチャ（Ｉｎｔｒａ−ｃｏｄｅｄ  ｐｉｃｔｕｒｅ），Ｐピクチャ（Ｐｒｅｄｉｃｔｉｖｅ  ｃｏｄｅｄ  ｐｉｃｔｕｒｅ），Ｂピクチャ（Ｂｉｄｉｒｅｃｔｉｏｎａｌｌｙ−ｐｒｅｄｉｃｔｉｖｅ  ｃｏｄｅｄ  ｐｉｃｔｕｒｅ）の３種類がある。一般的にはＩピクチャ＞Ｐピクチャ＞Ｂピクチャの順で、ピクチャ１枚当たりのビット数が多い。
【０００４】
この映像再生装置４００は、映像ビットストリームを入力して伸張処理し映像信号を出力する映像デコーダ４１と、この映像ビットストリームを入力して各ピクチャの開始点を表すピクチャ開始点を検出するピクチャ開始点検出回路４２と、このピクチャ開始点検出回路４２がこのピクチャ開始点を検出した回数をカウントして所定の単位時間を計測するフレームカウント回路４３と、映像ビットストリームの各ピクチャに含まれるビット数をこの所定の単位時間の間カウントし、このカウントしたビット数を平均ビットレートとして出力するビットレート計算回路４４と、ビットレート計算回路４４の出力を入力し、この平均ビットレートを表示するためのビットレート映像信号を生成する映像信号生成回路４５と、映像デコーダ４１が出力する映像信号と映像信号発生回路４５の出力するビットレート映像信号とを加算する映像信号加算回路４６と、この映像信号加算回路４６によって加算された映像信号をＮＴＳＣ方式に変換するＮＴＳＣ変換回路４７と、このＮＴＳＣ変換回路４７の出力をアナログ信号に変換するＤＡ変換回路４８とを備えている。
【０００５】
このような構成を有する映像再生装置４００においては、映像ビットストリームが入力されると映像デコーダ４１はこの映像ビットストリームを伸張し、映像信号を出力する。ピクチャ開始点検出回路４２は、この映像ビットストリームを入力して各ピクチャの開始点を表すピクチャ開始点を検出する。フレームカウント回路４３は、このピクチャ開始点検出回路４２がピクチャ開始点を検出した回数をカウントして所定の単位時間を計測する。ビットレート計算回路４４は、このフレームカウント回路４３が所定の単位時間を計測する間の映像ピットストリームの各ピクチャに含まれるビット数をカウントし、このカウントしたビット数を平均ビットレートとして出力する。映像信号生成回路４５は、このビットレート計算回路４４の出力を入力し、この平均ビットレートを表示するためのビットレート映像信号を生成する。映像信号加算回路４６は、映像デコーダ４１が出力する映像信号と映像信号発生回路４５が出力するビットレート映像信号とを加算する。ＮＴＳＣ変換回路４７は、この映像信号加算回路４６によって加算された映像信号をＮＴＳＣ方式に変換する。ＤＡ変換回路４８は、このＮＴＳＣ変換回路４７の出力をアナログ信号に変換する。
【０００６】
【発明が解決しようとする課題】
このような従来の映像再生装置においては、複数個のピクチャから構成される動画を再生している時には複数個のピクチャに含まれるビット数の所定の単位時間毎の総和を表す平均ビットレートを表示するが、１個のピクチャから構成される静止画を再生している時には、この複数個のピクチャに関連する平均ビットレートを表示しても意味が無いので、表示していない。
【０００７】
しかしながら、一時停止もしくはコマ送り再生のような静止画を再生している時でも、そのピクチャタイプ、そのピクチャのビット数等のビットレートに関連する情報を表示できる映像再生装置が要求されている。
【０００８】
本発明は、一時停止もしくはコマ送り再生のような静止画を再生している時に、その静止画に対応するピクチャのピクチャタイプとそのピクチャのビット数とを表示することができる映像再生装置および映像再生方法を提供することを目的とする。
【０００９】
【発明を解決するための手段】
本発明に係る映像再生装置は、複数のピクチャを有しており、各ピクチャの符号化の種類を表すピクチャタイプが記録されている映像ビットストリームに基づいて映像を再生する映像再生装置であって、静止画を再生する時において、該映像ビットストリームに基づいて該静止画に対応するピクチャのピクチャタイプを検出するピクチャタイプ検出手段と、該静止画を再生する時には該静止画に対応するピクチャに含まれるビット数を計算し、動画を再生する時には所定の単位時間当たりの平均ビットレートを計算するビットレート計算手段と、該静止画を再生する時には、該ピクチャタイプ検出手段によって検出された該ピクチャの該ピクチャタイプと該ビットレート計算手段によって計算された該ピクチャに含まれる該ビット数とを表示するための第１ビットレート映像信号を生成し、該動画を再生する時には、該ビットレート計算手段によって計算された該平均ビットレートを表示するための第２ビットレート映像信号を生成する映像信号生成手段と、を具備しており、そのことにより上記目的が達成される。
【００１０】
前記映像ビットストリームを伸長処理して映像信号を生成する映像デコーダと、前記静止画を再生する時には該映像デコーダによって生成された該映像信号と前記映像信号生成手段によって生成された前記第１ビットレート映像信号とを加算し、前記動画を再生する時には該映像デコーダによって生成された該映像信号と該映像信号生成手段によって生成された前記第２ビットレート映像信号とを加算する映像信号加算手段と、をさらに具備してもよい。
【００１１】
前記ビットレート計算手段は、各ピクチャの開始点を表すピクチャ開始点を検出するピクチャ開始点検出手段と、該ピクチャ開始点検出手段による該ピクチャ開始点の検出に応答して、該ピクチャに含まれるビット数をカウントするビット数計算手段と、該ピクチャ開始点検出手段が該ピクチャ開始点を検出した回数をカウントすることによって、前記所定の単位時間を計測するフレームカウント手段と、該フレームカウント手段が該所定の単位時間を計測している間に、該ビット数計算手段がカウントした該ビット数を、該ピクチャ開始点検出手段が該ピクチャ開始点を検出する毎に累積加算し、該累積加算結果を平均ビットレートとして該所定の単位時間毎に出力する加算手段と、該ビット数計算手段によってカウントされた該ビット数と、該加算手段によって累積加算された該平均ビットレートとを切り替えて出力するスイッチ手段とを含んでいてもよい。
【００１２】
前記ビットレート計算手段は、各ピクチャの開始点を表すピクチャ開始点と、ＧＯＰ開始点とを検出するピクチャ開始点検出手段と、該ピクチャ開始点検出手段による該ピクチャ開始点の検出に応答して、該ピクチャに含まれるビット数をカウントするビット数計算手段と、該ピクチャ開始点検出手段が該ＧＯＰ開始点を検出した回数をカウントすることによって、前記所定の単位時間を計測するフレームカウント手段と、該フレームカウント手段が該所定の単位時間を計測している間に、該ビット数計算手段がカウントした該ビット数を、該ピクチャ開始点検出手段が該ピクチャ開始点を検出する毎に累積加算し、該累積加算結果を平均ビットレートとして該所定の単位時間毎に出力する加算手段と、該ビット数計算手段によってカウントされた該ビット数と、該加算手段によって累積加算された該平均ビットレートとを切り替えて出力するスイッチ手段とを含んでいてもよい。
【００１３】
前記ビットレート計算手段は、各ピクチャの開始点を表すピクチャ開始点と、ＧＯＰの開始点を表すＧＯＰ開始点とを検出するピクチャ開始点検出手段と、該ピクチャ開始点検出手段による該ピクチャ開始点の検出に応答して、該ピクチャに含まれるビット数をカウントするビット数計算手段と、該ピクチャ開始点検出手段が該ＧＯＰ開始点を検出する間に、該ビット数計算手段がカウントした該ビット数を、該ピクチャ開始点検出手段が該ピクチャ開始点を検出する毎に累積加算し、該累積加算結果を平均ビットレートとして該所定の単位時間毎に出力する加算手段と、該ビット数計算手段によってカウントされた該ビット数と、該加算手段によって累積加算された該平均ビットレートとを切り替えて出力するスイッチ手段とを含んでいてもよい。
【００１４】
前記ビットレート計算手段は、各ピクチャの開始点を表すピクチャ開始点を検出するピクチャ開始点検出手段と、該ピクチャ開始点検出手段による該ピクチャ開始点の検出に応答して、該ピクチャに含まれるビット数をカウントするビット数計算手段と、時間を測ることによって、前記所定の単位時間を計測する計時手段と、該計時手段が該所定の単位時間を計測している間に、該ビット数計算手段がカウントしたビット数を、該ピクチャ開始点検出手段が該ピクチャ開始点を検出する毎に累積加算し、該累積加算結果を平均ビットレートとして該所定の単位時間毎に出力する加算手段と、該ビット数計算手段によってカウントされた該ビット数と、該加算手段によって累積加算された該平均ビットレートとを切り替えて出力するスイッチ手段とを含んでいてもよい。
【００１５】
本発明に係る映像再生方法は、複数のピクチャを有しており、各ピクチャの符号化の種類を表すピクチャタイプが記録されている映像ビットストリームに基づいて映像を再生する映像再生方法であって、静止画を再生する時において、該映像ビットストリームに基づいて該静止画に対応するピクチャのピクチャタイプを検出するピクチャタイプ検出工程と、該静止画を再生する時には該静止画に対応するピクチャに含まれるビット数を計算し、動画を再生する時には所定の単位時間当たりの平均ビットレートを計算するビットレート計算工程と、該静止画を再生する時には、該ピクチャタイプ検出工程によって検出された該ピクチャの該ピクチャタイプと該ビットレート計算工程によって計算された該ピクチャに含まれる該ビット数とを表示するための第１ビットレート映像信号を生成し、該動画を再生する時には、該ビットレート計算工程によって計算された該平均ビットレートを表示するための第２ビットレート映像信号を生成する映像信号生成工程と、を包含することを特徴とし、そのことにより上記目的が達成される。
【００１６】
前記映像ビットストリームを伸長処理して映像信号を生成する映像デコード工程と、前記静止画を再生する時には該映像デコード工程によって生成された該映像信号と前記映像信号生成工程によって生成された前記第１ビットレート映像信号とを加算し、前記動画を再生する時には該映像デコード工程によって生成された該映像信号と該映像信号生成工程によって生成された前記第２ビットレート映像信号とを加算する映像信号加算工程と、をさらに具備してもよい。
【００１７】
前記ビットレート計算工程は、各ピクチャの開始点を表すピクチャ開始点を検出するピクチャ開始点検出工程と、該ピクチャ開始点検出工程による該ピクチャ開始点の検出に応答して、該ピクチャに含まれるビット数をカウントするビット数計算工程と、該ピクチャ開始点検出工程が該ピクチャ開始点を検出した回数をカウントすることによって、前記所定の単位時間を計測するフレームカウント工程と、該フレームカウント工程が該所定の単位時間を計測している間に、該ビット数計算工程がカウントした該ビット数を、該ピクチャ開始点検出工程が該ピクチャ開始点を検出する毎に累積加算し、該累積加算結果を平均ビットレートとして該所定の単位時間毎に出力する加算工程と、該ビット数計算工程によってカウントされた該ビット数と、該加算工程によって累積加算された該平均ビットレートとを切り替えて出力するスイッチ工程と、を含んでいてもよい。
【００１８】
前記ビットレート計算工程は、各ピクチャの開始点を表すピクチャ開始点と、ＧＯＰ開始点とを検出するピクチャ開始点検出工程と、該ピクチャ開始点検出工程による該ピクチャ開始点の検出に応答して、該ピクチャに含まれるビット数をカウントするビット数計算工程と、該ピクチャ開始点検出工程が該ＧＯＰ開始点を検出した回数をカウントすることによって、前記所定の単位時間を計測するフレームカウント工程と、該フレームカウント工程が該所定の単位時間を計測している間に、該ビット数計算工程がカウントした該ビット数を、該ピクチャ開始点検出工程が該ピクチャ開始点を検出する毎に累積加算し、該累積加算結果を平均ビットレートとして該所定の単位時間毎に出力する加算工程と、該ビット数計算工程によってカウントされた該ビット数と、該加算工程によって累積加算された該平均ビットレートとを切り替えて出力するスイッチ工程とを含んでいてもよい。
【００１９】
前記ビットレート計算工程は、各ピクチャの開始点を表すピクチャ開始点と、ＧＯＰの開始点を表すＧＯＰ開始点とを検出するピクチャ開始点検出工程と、該ピクチャ開始点検出工程による該ピクチャ開始点の検出に応答して、該ピクチャに含まれるビット数をカウントするビット数計算工程と、該ピクチャ開始点検出工程が該ＧＯＰ開始点を検出する間に、該ビット数計算工程がカウントした該ビット数を、該ピクチャ開始点検出工程が該ピクチャ開始点を検出する毎に累積加算し、該累積加算結果を平均ビットレートとして該所定の単位時間毎に出力する加算工程と、該ビット数計算工程によってカウントされた該ビット数と、該加算工程によって累積加算された該平均ビットレートとを切り替えて出力するスイッチ工程とを含んでいてもよい。
【００２０】
前記ビットレート計算工程は、各ピクチャの開始点を表すピクチャ開始点を検出するピクチャ開始点検出工程と、該ピクチャ開始点検出工程による該ピクチャ開始点の検出に応答して、該ピクチャに含まれるビット数をカウントするビット数計算工程と、時間を測ることによって、前記所定の単位時間を計測する計時工程と、該計時工程が該所定の単位時間を計測している間に、該ビット数計算工程がカウントした該ビット数を、該ピクチャ開始点検出工程が該ピクチャ開始点を検出する毎に累積加算し、該累積加算結果を平均ビットレートとして該所定の単位時間毎に出力する加算工程と、該ビット数計算工程によってカウントされた該ビット数と、該加算工程によって累積加算された該平均ビットレートとを切り替えて出力するスイッチ工程とを含んでいてもよい。
【００２１】
本発明のある局面に従えば、ビットレート計算回路が、動画再生中には所定の単位時間毎の平均ビットレートを出力し、一時停止もしくはコマ送り再生のような静止画再生中は、そのピクチャのビット数を出力するように動作し、さらにピクチャタイプ検出回路が、静止画再生中にはそのピクチャのピクチャタイプを出力する。
【００２２】
これにより、動画再生中には平均ビットレートを第２ビットレート映像情報として映像信号と同時に表示し、静止画再生中にはそのピクチャのビット数とそのピクチャタイプとを第１ビットレート映像情報として映像信号と同時に表示する。従って、静止画再生中においてもピクチャのビット数とピクチャタイプのようなビットレートに関連する情報を表示することができる。
【００２３】
【発明の実施の形態】
以下、本発明の実施の形態について、図面を用いて説明する。
【００２４】
（実施の形態１）
図１は、実施の形態１に係る映像再生装置１００のブロック構成図を示している。この映像再生装置１００は、圧縮された映像信号を表す複数のピクチャを含んでおり各ピクチャの符号化の種類を表すピクチャタイプが記録されている映像ビットストリームに基づいて、この圧縮された映像信号を再生する映像再生装置であり、一時停止もしくはコマ送り再生のような静止画を再生している時に、その静止画に対応するピクチャのピクチャタイプとそのピクチャのビット数とを表示する。
【００２５】
図１に示すように、本実施の形態の映像再生装置１００は、この映像ビットストリームの圧縮された映像信号を伸張し映像信号を生成する映像デコーダ１１と、静止画再生時において、この映像ビットストリームからこの静止画に対応するピクチャのピクチャタイプを検出するピクチャタイプ検出回路１２と、この映像ビットストリームに基づいて各ピクチャ毎のビット数と所定の単位時間当たりの平均ビットレートとを計算し、静止画再生時にはこの静止画に対応するピクチャのビット数を出力し、動画再生時にはこの単位時間当たりの平均ビットレートを出力するビットレート計算回路１４と、このピクチャタイプ検出回路１２の出力とこのビットレート計算回路１４の出力とを入力し、静止画再生時にはピクチャタイプ検出回路１２によって検出されたピクチャタイプおよびこのビットレート計算回路１４によって計算されたこの静止画に対応するピクチャのビット数を表示するための第１ビットレート映像信号を生成し，動画再生時にはこのビットレート計算回路１４によって計算された平均ビットレートを表示するための第２ビットレート映像信号を生成する映像信号生成回路１５と、静止画再生時にはこの映像デコーダ１１によって生成された映像信号とこの映像信号発生回路１５によって生成された第１ビットレート映像信号とを加算し、動画再生時にはこの映像デコーダ１１によって生成された映像信号とこの映像信号発生回路１５によって生成された第２ビットレート映像信号とを加算する映像信号加算回路１６と、この映像信号加算回路１６によって加算された映像信号をＮＴＳＣ方式の映像信号に変換するＮＴＳＣ変換回路１７と、このＮＴＳＣ変換回路１７の出力をアナログ信号に変換するＤＡ変換回路１８とを備えている。
【００２６】
図２は、図１に示す映像再生装置１００に含まれるビットレート計算回路１４のブロック構成図を示している。このビットレート計算回路１４は、映像ビットストリームに含まれる各ピクチャの開始点を表すピクチャ開始点を検出するピクチャ開始点検出回路２１と、前記ピクチャ開始点検出回路２１が検出したピクチャ開始点とピクチャ開始点検出回路２１が検出した次のピクチャ開始点との間の映像ビットストリームのピクチャのビット数をカウントしてピクチャ１枚毎のビット数を求めるビット数計算回路２２と、前記ピクチャ開始点検出回路２１がピクチャ開始点を検出した回数を、所定の回数、例えばＮＴＳＣの場合には約１秒間に相当する３０回、カウントし、カウント終了の度にこの所定の回数のカウントの終了を表す信号を出力するフレームカウント回路２３と、前記ピクチャ開始点検出回路２１がピクチャ開始点を検出する度に前記ビット数計算回路２２によって計算されたピクチャ１枚毎のビット数を累積加算し、前記フレームカウント回路２３から出力される所定の回数のカウントの終了を表す信号に基づいて、この所定の回数のカウント、例えばＮＴＳＣの場合には約１秒間に相当する３０回のカウント、毎の累積ビット数を平均ビットレートとして出力する加算回路２４と、前記ビット数計算回路２２によって計算されたピクチャ１枚毎のビット数と前記加算回路２４から出力された平均ビットレートとを切り換えて出力するスイッチ回路２５とを備えている。
【００２７】
次に、実施の形態１に係る映像再生装置１００の動作を説明する。
【００２８】
図１において、まず映像ビットストリームが、映像デコーダ１１とピクチャタイプ検出回路１２とビットレート計算回路１４とに入力される。そして映像デコーダ１１は、この映像ビットストリームに含まれる複数のピクチャによって表される圧縮された映像信号を伸張して元の映像信号に戻し、映像信号加算回路１６に出力する。ピクチャタイプ検出回路１２は、静止画を再生している時において、この入力された映像ビットストリームを解析して、この映像ビットストリーム中に記述されているこの静止画に対応するピクチャのピクチャタイプ（Ｉピクチャ，Ｐピクチャ，Ｂピクチャ）を検出し、映像信号発生回路１５に出力する。ビットレート計算回路１４は、この入力された映像ビットストリームから、各ピクチャ毎のビット数と所定の単位時間当たりの平均ビットレートとを計算し、静止画を再生している時にはこの静止画に対応するピクチャのビット数を映像信号発生回路１５に出力し、動画を再生している時にはこの所定の単位時間当たりの平均ビットレートを映像信号発生回路１５に出力する。
【００２９】
次に、映像信号生成回路１５は、静止画を再生する時には、このピクチャタイプ検出回路１２によって検出されたピクチャタイプと、このビットレート計算回路１４によって計算されたこの静止画に対応するピクチャのビット数とを表示するための第１ビットレート映像信号を生成し、動画を再生する時には、このビットレート計算回路１４によって計算された所定の単位時間当たりの平均ビットレートを表示するための第２ビットレート映像信号を生成する。この映像信号生成回路１５は、第１ビットレート映像信号のうちのピクチャタイプを表示するための映像信号としては、アルファベットの「Ｉ」、「Ｐ」および「Ｂ」のいずれかを表示するための映像信号を生成し、この静止画に対応するピクチャのビット数を表示する映像信号としては、そのビット数の数値を表す映像信号を発生させ、平均ビットレートを表示するための第２ビットレート映像信号としては、その平均ビットレートの数値を表す映像信号もしくはその数値を点の数やバーの長さ等によって幾何学的に示す映像信号を生成して、映像信号加算回路１６に出力する。
【００３０】
この映像信号加算回路１６は、前記映像デコーダ１１が出力する映像信号と前記映像信号発生回路１５が出力する第１ビットレート映像信号または第２ビットレート映像信号とを加算してＮＴＳＣ変換回路１７に出力する。このＮＴＳＣ変換回路１７は、前記映像信号加算回路１６が出力する加算された映像信号をＮＴＳＣ方式の映像信号のフォーマットに変換してＤＡ変換回路１８に出力する。最後にＤＡ変換回路１８は、ＮＴＳＣ変換回路１７が出力するディジタルのＮＴＳＣ方式の映像信号をアナログ信号に変換して出力する。
【００３１】
ここで、ビットレート計算回路１４の動作をより詳細に説明する。
【００３２】
図１のビットレート計算回路１４の詳細を示す図２において、まずピクチャ開始点検出回路２１は、入力された映像ビットストリームを解析して、各ピクチャの開始点を検出し、その結果をビット数計算回路２２とフレームカウント回路２３と加算回路２４とに出力する。次にビット数計算回路２２は、前記ピクチャ開始点検出回路２１が検出したピクチャ開始点をトリガとして、このピクチャ開始点に対応するピクチャのビット数のカウントを開始し、再度このピクチャ開始点検出回路２１が次のピクチャ開始点を検出するまでの、このピクチャ開始点と次のピクチャ開始点との間の映像ビットストリームのビット数をカウントして、１枚のピクチャのビット数を求め、加算回路２４とスイッチ回路２５とに出力し、次のビット数のカウントに備えて、このビット数のカウントに使用したカウンタを０クリアする。
【００３３】
フレームカウント回路２３は、前記ピクチャ開始点検出回路２１が検出したピクチャ開始点を一定数カウントする。例えばＮＴＳＣ方式の場合には、約１秒間に相当する３０回カウントし、カウント終了の度に加算回路２４に通知する。
【００３４】
加算回路２４は、前記ピクチャ開始点検出回路２１がピクチャ開始点を検出する度に、前記ビット数計算回路２２によってカウントされた１枚のピクチャのビット数を累積加算し、前記フレームカウント回路２３の出力に基づいて、このフレームカウント回路２３によるピクチャ開始点の一定数のカウント（例えばＮＴＳＣ方式の場合には、約１秒間に相当する３０回のカウント）毎の累積ビット数を平均ビットレートとして、スイッチ回路２５に出力し、次のビット数の累積加算に備えて、このビット数の累積加算に使用したカウンタを０クリアする。
【００３５】
最後にスイッチ回路２５は、この映像再生装置１００が一時停止もしくはコマ送り再生のような静止画を再生中の場合には、前記ビット数計算回路２２が出力する静止画に対応する１枚のピクチャのビット数を選択して出力し、映像再生装置１００が動画を再生中の場合には、前記加算回路２４が出力する平均ビットレートを選択して出力する。
【００３６】
なお、実施の形態１では、フレームカウント回路２３は、ＮＴＳＣ方式の場合には、約１秒間に相当する３０回カウントしているが、本発明はこれに限定されない。ピクチャ開始点検出回路２１がＭＰＥＧビデオ符号化方法におけるピクチャの開始点と同時に、一般的に０．５秒間隔のＧＯＰ（Ｇｒｏｕｐ  Ｏｆ  Ｐｉｃｔｕｒｅ）開始点を検出して、このＧＯＰ開始点をピクチャ開始点の代わりにフレームカウント回路２３に出力し、フレームカウント回路２３がこのＧＯＰ開始点を２回検出する度に、加算回路２４に通知するようにしても良い。この場合には、ピクチャ開始点は３０回カウントする必要があるのに対し、ＧＯＰ開始点は２回のカウントですむので、フレームカウント回路２３を簡略化することが可能になる。
【００３７】
同様にして、ピクチャ開始点検出回路２１がＭＰＥＧビデオ符号化方法におけるピクチャの開始点と同時に、ＧＯＰ開始点を検出して、ピクチャ開始点とＧＯＰ開始点の情報を加算回路２４に出力し、ＧＯＰ開始点が検出される度に、加算回路２４が累積ビット数を平均ビットレートとして、スイッチ回路２５に出力しても良い。この場合には、フレームカウント回路２３は不要になるという効果がある。
【００３８】
同様にして、フレームカウント回路２３の代わりに、所定の単位時間を計測する計時回路を設け、計時回路が所定の単位時間を計測する度に、加算回路２４が蓄積ビット数を平均ビットレートとして、スイッチ回路２５に出力しても良い。この場合には、フレームカウント回路２３で行わなければならないＰＡＬ（２５フレーム／秒）とＮＴＳＣ（３０フレーム／秒）でのカウント値の切り替えが不要になるという効果がある。
【００３９】
以上のように実施の形態１によれば、動画再生中においては、スイッチ２５が加算回路２４の出力を選択して、所定の単位時間毎の平均ビットレートを出力するので、この平均ビットレートが表示される。一時停止もしくはコマ送り再生のような静止画再生中においては、スイッチ２５がビット数計算回路２２の出力を選択して、この表示中の静止画に対応するピクチャのビット数を出力するのと同時に、ピクチャタイプ検出回路１２が、この表示中の静止画のピクチャタイプを検出し出力するので、ピクチャタイプとピクチャのビット数とが表示される。このため、静止画再生中において、この静止画のピクチャタイプとビット数を視聴者は明確に認識することができるので、例えば、画質を調整するピクチャとして、一般的に精度の高いＩピクチャであって、かつビット数の多いピクチャを選択して画質を調整することができる。従って、視聴者は精度良く画質を調整することができる。
【００４０】
さらに動画再生中だけでなく、一時停止もしくはコマ送り再生のような静止画再生中でも、このような映像ビットストリームのビットレートに関する情報を表示することにより、動画再生中だけでなく静止画再生中でも、視聴者は映像信号の画質を客観的に評価することができるという有利な効果が得られる。
【００４１】
（実施の形態２）
以下、本発明の実施の形態２として、図１に示すピクチャタイプ検出回路１２およびビットレート計算回路１４の機能をソフトウエアによって実現する映像再生方法を説明する。
【００４２】
図３は、実施の形態２に係る映像再生方法のフローチャートを示す。図３において、ステップ３０１（以下Ｓ３０１と略す。他ステップも同様とする。）で処理を開始する。まず、Ｓ３０２で、映像ビットストリームが所定の単位長だけ映像再生装置に入力される。次に、Ｓ３０３で、この入力された映像ビットストリームの中にピクチャ開始点があるかどうかを調べ、このピクチャ開始点を検出しなかった場合には（Ｓ３０３においてＮＯ）、Ｓ３０２に戻って次の映像ビットストリームを所定の単位長だけ入力する。ピクチャ開始点を検出した場合には（Ｓ３０３においてＹＥＳ）Ｓ３０４へ進む。
【００４３】
次に、Ｓ３０４でフレームカウンタを０クリアし、Ｓ３０５でビットレートカウンタを０クリアする。その後、Ｓ３０６で映像ビットストリームのピクチャ開始点のすぐ後に記述してあるピクチャタイプ（Ｉピクチャ，Ｐピクチャ，Ｂピクチャ）をピクチャタイプレジスタに格納する。そしてＳ３０７で、入力した映像ビットストリームのピクチャ開始点以降のビット数をビットカウンタに格納する。
【００４４】
次にＳ３０８で次の映像ビットストリームを所定の単位時間長だけ入力する。そして、Ｓ３０９で入力した映像ビットストリームの中にピクチャ開始点があるかどうかを調べ、ピクチャ開始点を検出しなかった場合には（Ｓ３０９においてＮＯ）、Ｓ３１０でビットカウンタに、Ｓ３０８において入力した映像ビットストリームのビット数を加算して、Ｓ３０８に戻って、次の映像ビットストリームを所定の単位時間長だけ入力する。Ｓ３０９で、入力した映像ビットストリームの中にピクチャ開始点を検出した場合には（Ｓ３０９においてＹＥＳ）、Ｓ３１１へ進む。
【００４５】
そしてＳ３１１で、Ｓ３０８において入力した映像ビットストリームのピクチャ開始点までのビット数をビットカウンタに加算する。次に、Ｓ３１２で映像再生装置の再生モードが動画再生中か、一時停止やコマ送り再生のような静止画再生中かを判定し、動画再生中の場合にはＳ３１３に分岐し、静止画再生中の場合にはＳ３１７に分岐する。
【００４６】
Ｓ３１２で動画再生中と判定された場合には、Ｓ３１３でフレームカウンタを１だけインクリメントする。次にＳ３１４で、ビットレートカウンタにビットカウンタの値を加算する。そしてＳ３１５でフレームカウンタの値を調べ、例えばＮＴＳＣ方式の場合には約１秒間に相当する３０フレーム以上か否かの判定を行い、３０フレーム未満ならば（Ｓ３１５においてＮＯ）Ｓ３０７に戻る。一方Ｓ３１５でフレームカウンタが３０以上と判定され場合には（Ｓ３１５においてＹＥＳ）、Ｓ３１６に進む。そしてＳ３１６でビットレートカウンタの値を映像信号生成回路１５に出力し、Ｓ３０４に戻る。
【００４７】
Ｓ３１２で静止画再生中と判定された場合には、Ｓ３１７でピクチャ１枚分のビット数に相当するビットカウンタの値を映像信号生成回路１５に出力する。次にＳ３１８でピクチャタイプレジスタの内容を映像信号生成回路１５に出力し、Ｓ３０６へ戻る。
【００４８】
なお、実施の形態２では、Ｓ３１５でＮＴＳＣ方式の場合には、約１秒間に相当する３０回をカウントしているが、Ｓ３０９で、ＭＰＥＧビデオ符号化方法におけるピクチャの開始点と共に、一般的に０．５秒間隔のＧＯＰ（Ｇｒｏｕｐ  Ｏｆ  Ｐｉｃｔｕｒｅ）開始点を検出し、Ｓ３１５の条件を、「フレームカウンタ≧３０」ではなく、「ＧＯＰ開始点を２回検出したか否か」に変えても良い。この場合には、Ｓ３０４とＳ３１３のフレームカウンタの操作が不要になる。
【００４９】
同様にして、フレームカウンタの代わりに、所定の単位時間を計測するタイマーを設け、Ｓ３０４の操作を、「フレームカウンタをゼロクリアすること」ではなく、「タイマーをゼロクリアすること」に変え、Ｓ３１５の条件を、「フレームカウンタ≧３０」ではなく、「タイマーが所定の単位時間の計測を終了したか否か」に変えても良い。この場合には、Ｓ３１３の操作が不要になるだけでなく、Ｓ３１５の条件を、ＰＡＬ（２５フレーム／秒）とＮＴＳＣ（３０フレーム／秒）とで切り替える必要が無くなる。
【００５０】
以上のように実施の形態２によれば、図１に示すピクチャタイプ検出回路１２およびビットレート計算回路１４の機能をソフトウエアによって実現することができるので、実施の形態１と同様の効果を得ることができる。
【００５１】
【発明の効果】
以上のように本発明によれば、一時停止もしくはコマ送り再生のような静止画を再生している時に、その静止画に対応するピクチャのピクチャタイプとそのピクチャのビット数とを表示することができる映像再生装置および映像再生方法を提供することができる。
【図面の簡単な説明】
【図１】実施の形態１に係る映像再生装置を示すブロック構成図
【図２】実施の形態１に係る映像再生装置のビットレート計算回路を示すブロック構成図
【図３】実施の形態２に係る映像再生方法を示すフローチャート
【図４】従来の映像再生装置を示すブロック構成図
【符号の説明】
１１  映像デコーダ
１２  ピクチャタイプ検出回路
１４  ビットレート計算回路
１５  映像信号生成回路
１６  映像信号加算回路
２１  ピクチャ開始点検出回路
２２  ビット数計算回路
２３  フレームカウント回路
２４  加算回路
２５  スイッチ回路
【図１】
0004641690.tif 000002
【図２】
0004641690.tif 000003
【図３】
0004641690.tif 000004
【図４】
0004641690.tif 000005